(57)【要約】【課題】小型化を実現させることができるタイダウン装置の開放装置の提供。【解決手段】本発明は、エレベーターに備えられるコンペンロープ７の調整に際して用いられ、タイダウン装置Ａが開放状態となるように、ウェッジ１３に一体に設けたウエッジ引きボルト１４を押し上げ可能な押しボルト２０を備えたタイダウン装置Ａの開放装置において、押しボルト２０が螺合するねじ穴、及びガイドレール１２を避ける開口部２１ａを有し、タイダウン装置Ａのベース１０の下部部材１０ｃに取り付けられ、略水平面内に配置され、押しボルト２０を保持する平板部材２０と、この平板部材２０をタイダウン装置Ａの下部部材１０ｃに取り付ける万力２４とを備えた構成にしてある。【選択図】図４
2017043467.tif 000002
【特許請求の範囲】
【請求項１】
エレベーターのつり合い重りの跳ね上がりを阻止するタイダウン装置のウェッジによるガイドレールの挟持を行わせない開放状態となるように、前記ウェッジに一体に設けたウェッジ引きボルトを押し上げ可能な押しボルトを備えたタイダウン装置の開放装置において、
前記押しボルトが螺合するねじ穴、及び前記ガイドレールを避ける開口部を有し、前記タイダウン装置の下部部材に取り付けられ、略水平面内に配置され、前記押しボルトを保持する保持部材と、
前記保持部材を前記タイダウン装置の前記下部部材に取り付ける固定具とを備えたことを特徴とするタイダウン装置の開放装置。
【請求項２】
請求項１に記載のタイダウン装置の開放装置において、
前記押しボルトの下端に一体に設けられ、前記押しボルトを回転させる回転力が付与される回転力付与部を備えたことを特徴とするタイダウン装置の開放装置。
【請求項３】
請求項２に記載のタイダウン装置の開放装置において、
前記回転力付与部は、前記押しボルトに溶接固定した蝶ナットから成ることを特徴とするタイダウン装置の開放装置。
【請求項４】
請求項１に記載のタイダウン装置の開放装置において、
前記押しボルトの上端に一体に設けられ、前記押しボルトの横断面の面積よりも大きな面積を有するように設定され、前記ウェッジ引きボルトの下端に当接可能な当接部材を備えたことを特徴とするタイダウン装置の開放装置。
【請求項５】
請求項４に記載のタイダウン装置の開放装置において、
前記当接部材は、前記押しボルトの径寸法よりも大きな径寸法に設定された丸板から成ることを特徴とするタイダウン装置の開放装置。
【請求項６】
請求項１〜５のいずれか一項に記載のタイダウン装置の開放装置において、
前記保持部材は、平板部材から成り、
前記固定具は、前記タイダウン装置の前記下部部材と前記平板部材を挟持可能な一対の万力から成ることを特徴とするタイダウン装置の開放装置。
【発明の詳細な説明】
【技術分野】
【０００１】
本発明は、エレベーターのタイダウン装置を、作動しない開放状態とすることが可能なタイダウン装置の開放装置に関する。
【０００２】
エレベーターの乗りかごとつり合い重りとの間をコンペンロープで連結し、乗りかごの急停止時に、つり合い重りの跳ね上がりを阻止するタイダウン装置を有するエレベーターでは、コンペンロープは経年的に延びを生じる。この伸びを解消するように、タイダウン装置と、コンペンプーリーを保持するプーリ保持部との高さ方向の位置関係が所定の位置関係を保つように調整する必要がある。
【０００３】
このコンペンロープの延びの調整の際に、タイダウン装置が起動しないように開放状態にする開放装置は、例えば、特許文献１に開示されている。
【０００４】
特許文献１では、本体枠内に設けられた複数のウェッジの下方にそれぞれウェッジ引きボルトが突設されていると共に、これらのウェッジ引きボルトを介してウェッジを下方へ弾性付勢する複数の押しばねが配設されているエレベータのタイダウン装置に対して、ウェッジを開放させるために用いられるウェッジ開放治具を、ウェッジ引きボルトの下端部と係合可能な係合手段を上端部に有する押しボルトと、この押しボルトを螺合状態で保持する下部螺合体と本体枠上に搭載される上部載せ体とを連結体にて連結してなる支持部材とを備える構成である。
【先行技術文献】
【特許文献】
【０００５】
【特許文献１】特開２０００−１１８９１３号公報
【発明の概要】
【発明が解決しようとする課題】
【０００６】
前述した特許文献１に開示された従来技術は、全体形状がタイダウン装置の高さ寸法よりも長い形状となることから、装置が大型になり、持ち運びが煩雑になりやすく、コンペンロープの調整を行う作業者の負担が大きくなりやすい。
【０００７】
上記課題を解決するために、本発明の目的は、小型化を実現させることができるタイダウン装置の開放装置を提供することにある。
【課題を解決するための手段】
【０００８】
上記課題を解決するために、本発明のタイダウン装置の開放装置は、エレベーターのつり合い重りの跳ね上がりを阻止するタイダウン装置のウェッジによるガイドレールの挟持を行わせない開放状態となるように、前記ウェッジに一体に設けたウェッジ引きボルトを押し上げ可能な押しボルトを備えたタイダウン装置の開放装置において、前記押しボルトが螺合するねじ穴、及び前記ガイドレールを避ける開口部を有し、前記タイダウン装置の下部部材に取り付けられ、略水平面内に配置され、前記押しボルトを保持する保持部材と、前記保持部材を前記タイダウン装置の前記下部部材に取り付ける固定具とを備えたことを特徴としている。
【発明の効果】
【０００９】
本発明に係るタイダウン装置の開放装置によれば、保持部材は、押しボルトが螺合するねじ穴が形成される領域と、固定具が装着される領域とを有し、略水平面内に配置される比較的小さな形状寸法に設定できるので、タイダウン装置の開放装置の小型化を実現できる。
【００１０】
前述した以外の課題、構成及び効果は、以下の実施形態の説明により明らかにされる。
【図面の簡単な説明】
【００１１】
【図１】本発明に係るタイダウン装置の開放装置の一実施形態の構成を示す図で、（ａ）図は押しボルトが装着され、保持部材を構成する平板部材を示す平面図、（ｂ）図は平板部材を固定する固定具を構成する一対の万力を示す平面図である。
【図２】図１に示す押しボルトが装着される平板部材の裏面図である。
【図３】タイダウン装置を開放させる前の本実施形態の取り付け形態を示す側面図である。
【図４】タイダウン装置を開放させたときの本実施形態の取り付け形態を、一部要素を除いて示した側面図である。
【図５】本実施形態によって開放させたときのタイダウン装置の構成を示す正面図である。
【図６】タイダウン装置を備えたエレベーターの概略構成を示す図である。
【発明を実施するための形態】
【００１２】
以下、本発明に係るタイダウン装置の開放装置を説明する前に、タイダウン装置について以下に説明する。
【００１３】
図６は、タイダウン装置を備えたエレベーターの概略構成を示す図である。
【００１４】
エレベーターの中には、図６に示すように、昇降路１に昇降可能に配置された乗りかご２、及びつり合い重り３と、これらの乗りかご２とつり合い重り３を連結する主ロープ４と、この主ロープ４が巻回されるシーブ５を回転させる巻上機と、そらせ車６とを備えるとともに、一端が乗りかご２の下端に連結され、他端がつり合い重り３の下端に連結されるコンペンロープ７と、このコンペンロープ７が巻回されるコンペンプーリ８と、このコンペンプーリ８を保持するプーリ保持部９と、乗りかご２の急停止時に、乗りかご２と主ロープ４を介して連結されるつり合い重り３の跳ね上がりを阻止するタイダウン装置Ａを備えたものがある。
【００１５】
タイダウン装置Ａは、コンペンロープ８を保持するプーリ保持部９の上側に配置され、くさび部１０ａを有するベース１０と、このベース１０のくさび部１０ａにローラ部１１を介して対向して配置され、昇降路１内に立設されたガイドレール１２を挟持可能なウェッジ１３と、このウェッジ１３に一体に設けられ、ベース１０の下部部材に形成した貫通穴に上下方向の移動可能に挿入されるウェッジ引きボルト１４と、このウェッジ引きボルト１４に装着され、ウェッジ１３をコンペンプーリ８を保持するプーリ保持部９方向に付勢するばね１５とを含んでいる。
【００１６】
このようなタイダウン装置Ａを備えたエレベーターにあっては、乗りかご２の急停止に伴ってつり合い重り３が上昇し、これによりコンペンロープ７が上昇した際に、コンペンロープ７によってタイダウン装置Ａのベース１０が上昇する。このベース１０の上昇により、タイダウン装置Ａのくさび部１０ａ、及びローラ部１１を介してウェッジ１３がガイドレール１２を挟持する。これによりコンペンプーリ８を保持するプーリ保持部９、及びコンペンロープ７の上昇が抑えられ、コンペンロープ７に連結されたつり合い重り３の跳ね上がりが阻止される。
【００１７】
前述したコンペンロープ７は、経年的に延びを生じる。したがって、この伸びを解消して、タイダウン装置Ａと、コンペンプーリ８を保持するプーリ保持部９との高さ方向の位置関係が正規の位置関係を保つように、コンペンロープ７の調整を行うことが必要になる。
【００１８】
本発明に係るタイダウン装置の開放装置について、以下に説明する。
【００１９】
図１は、本発明に係るタイダウン装置の開放装置の一実施形態の構成を示す図で、（ａ）図は押しボルトが装着され、保持部材を構成する平板部材を示す平面図、（ｂ）図は平板部材を固定する固定具を構成する一対の万力を示す平面図、図２は、図１に示す押しボルトが装着される平板部材の裏面図である。また図３は、タイダウン装置を開放させる前の本実施形態の取り付け形態を示す側面図、図４は、タイダウン装置を開放させたときの本実施形態の取り付け形態を、一部要素を除いて示した側面図である。また図５は、本実施形態によって開放させたときのタイダウン装置の構成を示す正面図である。
【００２０】
本実施形態に係るタイダウン装置Ａの開放装置は、押しボルト２０が螺合するねじ穴を有し、タイダウン装置Ａの図３，４に示すベース１０の下部部材１０ｃに取り付けられ、略水平面内に配置され、押しボルト２０を保持する保持部材と、この保持部材をタイダウン装置Ａの下部部材１０ｃに取り付ける固定具とを備えている。
【００２１】
図１（ａ）図及び図２に示すように、前述した保持部材は例えば、一対の押しボルト２０を保持し、ガイドレール１２を避ける開口部２１ａを有する平板部材２１から成っている。また、図１（ｂ）図に示すように、前述した固定具は例えば、タイダウン装置Ａの下部部材１０ｃと平板部材２１を挟持可能な一対の万力２４から成っている。
【００２２】
なお、図３，４に示すように、コンペンプーリ８を保持するプーリ保持部９には一体的にロッド１６を設けてあり、このロッド１６はタイダウン装置Ａのベース１０の上部部材１０ｂに形成した貫通穴に上下方向の移動可能に挿入されている。また、このロッド１６は、当該ロッド１６に形成したねじ部に螺合するナットによってベース１０の上部部材１０ｂに係止されている。また。ロッド１６には、ばね１７が装着されている。このばね１７によって、タイダウン装置Ａのベース１０と、コンペンプーリ８を保持するプーリ保持部９との間隔が所定間隔となるように、すなわちロッド１６が、前述のナットによってベース１０の上部部材１０ｂに確実に係止保持されている。
【００２３】
図３〜５に示すように、ガイドレール１２は互いに対向するように一対備えられている。これに対応してタイダウン装置Ａの前述した一対のくさび部１０ａ、一対のローラ部１１、及び１本のガイドレール１２を挟むように配置される一対のウェッジ１３の組み合わせが、ベース１０に２組設けられている。また、一対のガイドレール１２に対応させて、本実施形態に備えられる一対の押しボルト２０を保持する平板部材２１と、一対の万力２４との組み合せも、例えば２組備えている。
【００２４】
また本実施形態は、一対の押しボルト２０のそれぞれの下端に一体に設けられ、押しボルト２０を回転させる回転力が付与される回転力付与部を備えている。この回転力付与部は、図２に示すように、一対の押しボルト２０のそれぞれに溶接固定した２つの蝶ナット２２から成っている。
【００２５】
また本実施形態は、一対の押しボルト２０の上端にそれぞれ一体に設けられ、押しボルト２０の横断面の面積よりも大きな面積を有するように設定され、ウェッジ引きボルト１４の下端に当接可能な当接部材を備えている。この当接部材は、図１（ａ）に示すように、例えば一対の押しボルト２０のそれぞれの径寸法よりも大きな径寸法に設定された一対の丸板２３から成っている。
【００２６】
前述したコンペンロープ７の調整に際しては、図３に示すように、一対のガイドレール１２のうちの一方のガイドレール１２側に位置するタイダウン装置Ａのベース１０の下部部材１０ｃの部位に、その一方のガイドレールを避けるように開口部２１ａ内に位置させ、一対の押しボルト２０を例えば伸長させた状態で保持した平板部材２１を当接させ、ベース１０の下部部材１０ｃと平板部材２１を、図１（ｂ）に示した一対の万力２４によって強固に挟持させる。
【００２７】
この状態で、一対の押しボルト２０のそれぞれの下端に固定した蝶ナット２２を回転させ、図４に示すように、一対の押しボルト２０それぞれの上端に固定した丸板２３によって、一対のウェッジ引きボルト１４のそれぞれの下端を押圧し、これらのウェッジ引きボルト１４のそれぞれを、ばね１５の力に抗して押し上げることが行われる。
【００２８】
これにより図５に示すように、一対のウェッジ１３のそれぞれは、例えば上端部１３ａがベース１０の上部部材１０ｂに当接するまで押し上げられ、一対のウェッジ１３のそれぞれと、ガイドレール１２との間に、隙間２５がそれぞれ形成され、タイダウン装置Ａは開放状態となる。
【００２９】
なお、コンペンロープ７の調整中に、タイダウン装置Ａのウェッジ１３がガイドレール１２を挟持すると、その時点でコンペンロープ７の調整を行えなくなり、以降のコンペンロープ７の調整のためには、タイダウン装置Ａからローラ部１１及びウェッジ部１３を分解して取り外す煩雑な作業が必要になってしまう。したがって、前述のようにタイダウン装置Ａを開放状態に保ちながら、コンペンロープ７の調整を行うことが必要になる。
【００３０】
このように図３〜５に示した一対のガイドレール１２のうちの一方のガイドレール１２側において、一対のウェッジ１３とガイドレール１２の間に隙間２５をそれぞれ形成して開放状態とした後には、図３，４の右側に位置する他方のガイドレール１２側においても、前述と同様にして、他の１組の一対の押しボルト２０を保持する平板部材２１、及び一対の万力２４を用いて、一対のウェッジ１３とガイドレール１２の間に隙間２５をそれぞれ形成させる開放状態とすることが行われる。
【００３１】
このようにして、一対のガイドレール１２の一方の側、及び他方の側の双方を開放した開放状態にあっては、コンペンロープ７を例えば短くする調整に際して、コンペンロープ７を介してコンペンプーリ８を保持するプーリ保持部９が上昇し、このプーリ保持部９がタイダウン装置Ａのベース１０の下部部材１０ｃに当たって、タイダウン装置Ａのベース１０の下部部材１０ｃが同図５の位置Ｈまで上昇したとしても、ガイドレール１２のそれぞれと、該当するガイドレール１２に対向して配置された一対のウェッジ１３との間に形成される隙間２５の形成が維持されるので、それぞれ一対のウェッジ１３による該当するガイドレール１２の挟持を行わせない開放状態となるように保たれる。したがって、コンペンロープ７を調整する作業を支障なく実施することができる。
【００３２】
コンペンロープ７の調整終了後は、２組のそれぞれの一対の押しボルト２０を保持する平板部材２１と、一対の万力２４との組み合せを、タイダウン装置Ａのベース１０の下部部材１０ｃから取り外す作業が実施される。
【００３３】
これにより、ばね１５の力によってウェッジ引きボルト１４のそれぞれが下方に移動し、これに伴ってウェッジ１３のそれぞれは元の位置まで引き下げられ、乗りかご２の急停止時に、タイダウン装置Ａが精度良く作動する状態に復帰する。
【００３４】
以上のように構成した本実施形態に係るタイダウン装置Ａの開放装置によれば、平板部材２１は、押しボルト２０が螺合するねじ穴が形成される領域と、万力２４が装着される領域とを有し、略水平面内に配置される比較的小さな形状寸法に設定でき、当該タイダウン装置Ａの開放装置の小型化を実現させることができる。また、このように当該開放装置Ａの小型化を実現できることと、万力２４を平板部材２１から離脱させることが可能であることとから、当該開放装置の持ち運びに際し、平板部材２１と、万力２４とを分解してコンパクトな状態で持ち運ぶことができる。これによりコンペンロープ７の調整作業者の労力を軽減させることができる。また、平板部材２１と万力２４とを、比較的狭い空間内にあっても収容でき、保管することができる。
【００３５】
なお、前述した実施形態では、押しボルト２０に回転力を付与する回転力付与部を蝶ナット２２によって構成したが、本発明は、このように回転力付与部を蝶ナット２２によって構成することには限定されない。蝶ナット２２に代えて、押しボルト２０に螺合する六角ナットを設け、この六角ナットを押しボルト２０の下端に溶接固定する構成にしてもよい。
【００３６】
また前述した実施形態では、ウェッジ引きボルト１４に当接する当接部材を、丸板２３によって構成したが、本発明は、このように当接部材を丸板２３によって構成することには限定されない。丸板２３に代えて、角板を設けてもよく、またウェッジ引きボルト１４の下端が収容可能なカップ状部材等を設けてもよい。
【００３７】
本発明は前述した実施形態に限定されず、本発明の要旨を逸脱しない範囲で種々の変形が可能であり、特許請求の範囲に記載された技術思想に含まれる技術的事項の全てが本発明の対象となる。前述した実施形態は、好適な例を示したものであるが、当業者ならば、本明細書に開示の内容から、各種の代替例、修正例、変形例あるいは改良例を実現することができ、これらは添付の特許請求の範囲に記載された技術的範囲に含まれる。
【符号の説明】
【００３８】
１・・昇降路、２・・乗りかご、３・・つり合い重り、７・・コンペンロープ、８・・コンペンプーリ、９・・プーリ保持部、１０・・ベース、１０ａ・・くさび部、１０ｂ・・上部部材、１０ｃ・・下部部材、１１・・ローラ部、１２・・ガイドレール、１３・・ウェッジ、１３ａ・・上端部、１４・・ウェッジ引きボルト、１５・・ばね、２０・・ロッド、２１・・平板部材（保持部材）、２１ａ・・開口部、２２・・蝶ナット（回転力付与部）、２３・・丸板（当接部材）、２４・・万力（固定具）、２５・・隙間、Ａ・・タイダウン装置
【図１】
2017043467.tif 000003
【図２】
2017043467.tif 000004
【図３】
2017043467.tif 000005
【図４】
2017043467.tif 000006
【図５】
2017043467.tif 000007
【図６】
2017043467.tif 000008